(57)【特許請求の範囲】
【請求項１】
内周に雌ねじ部が形成される戸当り本体を固定する際に、外周に雄ねじ部が形成されるねじ付台座を用いる戸当りであって、前記ねじ付台座が、分割型を合わせて、雄ねじ部が同時に形成される鋳物であり、該雄ねじ部のうち、鋳造時の合せ面周辺のねじ部に平坦面が形成されてなる戸当り。
【発明の詳細な説明】
【０００１】
【発明の属する技術分野】
本発明は戸当りに関する。さらに詳しくは、組立てを容易にして、作業性を向上させることができる戸当りに関する。
【０００２】
【従来の技術】
従来より、図５〜６に示すように、戸５０の開閉により戸５０またはノブ５１が壁または戸５０周辺の家具やキャビネット５２などに衝突し、これらに損傷が生じるのを防ぐために、戸当り５３が戸５０の付近の静止体である床５４に設けられている。
【０００３】
かかる戸当り５３としては、図７に示されるように床５４に固着されるねじ付台座６０に螺着される基部５５および該基部５５の上部に固着される緩衝体５６とからなる戸当り本体５３ａと、Ｕ字状の止め金具５７となるものがある。そして、この戸当り５３では、戸５０を開放状態にしておくために、前記基部５５内に差し込まれているＵ字状の止め金具５７を引き抜き、戸５０の側面に設けられた鉤付き座金５８の鉤部５９に係止するようにしている。
【０００４】
【発明が解決しようとする課題】
前記戸当り５３の組付けは、図７に示されるように回り止めおよび仮止めのための針部６２を床５４に打ち込んだのち、固定ねじ６３を予め中央部に形成される中央孔に挿通してねじ付台座６０を床５４に固定し、ついで戸当り本体５３ａの雌ねじ部５５ａを前記ねじ付台座６０の雄ねじ部６１にねじ込んで行なわれる。
【０００５】
現在、前記ねじ付台座６０は、棒材をねじ切りしつつ所定長さで切断することにより作製されている。コストダウンを図るために、このねじ付台座６０を鋳造により作製することも考えられるが、外周の雄ねじ部６１は鋳造時に分割型を合わせて形成するため、雄ねじ部６１における合せ面（型分割面）６４の周辺部位に、バリや段違い部などが発生しやすくなる。そうすると、戸当り本体５３ａとのねじ嵌合時に前記ねじ付台座６０のバリなどが戸当り本体５３ａの雌ねじ部５５ａに干渉して戸当り本体６０をねじ込むことができない場合が多くなるため、鋳造後に、バリ取りやねじ部の歯付けなどの作業を行なう必要があり、かえってコストがアップしてしますという問題がある。
【０００６】
本発明は、叙上の事情に鑑み、鋳造後の作業が不要であり、コストダウンを図ることができる戸当りを提供することを目的とする。
【０００７】
【課題を解決するための手段】
本発明の戸当りは、内周に雌ねじ部が形成される戸当り本体を固定する際に、外周に雄ねじ部が形成されるねじ付台座を用いる戸当りであって、前記ねじ付台座が、分割型を合わせて、雄ねじ部が同時に形成される鋳物であり、該雄ねじ部のうち、鋳造時の合せ面周辺のねじ部に平坦面が形成されてなることを特徴としている。
【０００８】
【発明の実施の形態】
以下、添付図面に基づいて本発明の戸当りを説明する。
【０００９】
図１は本発明の戸当りの一実施の形態を示す分解図、図２は図１におけるねじ付台座の正面図、図３は図１におけるねじ付台座の平面図、図４は本発明の他の実施の形態にかかわる戸当りをドアに取り付けた状態を示す説明図である。
【００１０】
図１〜３に示すように、本発明の一実施の形態にかかわる戸当りは、戸当り本体１と、該戸当り本体１を螺着させるねじ付台座２とから構成され、該ねじ付台座２は固定ねじ３により床、壁または戸などに固着される。
【００１１】
前記戸当り本体１は、内周に雌ねじ部４が形成される基部５と、該基部５の上部に固着される緩衝体６とからなり、本実施の形態では、該緩衝体６の外周突起部７から内側の凹部に磁石部８が埋設されている。該磁石部８としては、一対の磁性体８ａに挟持される、たとえばフェライト磁石または稀土類磁石などの永久磁石８ｂを用いることができる。該磁性体８ａの先端面は永久磁石８ｂよりも突出しているため、戸から永久磁石８ｂに掛かる衝突を和らげるとともに、磁力線を前記先端面から集中して放射させることにより、戸の表面に設けられた磁性体からなる受体に対する吸着力を強くすることができる。また、この磁石部８を前記凹部において前後方向および上下方向に移動できる構造にすることにより、戸を安定して全開状態に保持することができ、戸が外力を受けて振動するなどの不具合を低減させることができる。なお、この磁石部８を省略して、図６に示されるように止め金具と鉤部によって、戸を開状態に保つようにしてもよい。
【００１２】
前記ねじ付台座２は、たとえば分割型、すなわち半円形の凹部表面に半周のねじ切り加工された鋳型を合わせて、周方向に雄ねじ部９が同時に形成（鋳造）される鋳物、すなわち鋳造品である。また下端面には回り止めおよび仮止めのための針部１０も同時に鋳造されている。そして、前記雄ねじ部９のうち、鋳造時の合せ面１１周辺のねじ部９ａには平坦面１２がそれぞれ形成されている。この平坦面１２を形成することにより、鋳造後に合わせ面１１に多少のバリが発生したとしても、このバリは雄ねじ部９のみぞよりも半径方向内側に位置するため、前雌ねじ部４と雄ねじ部９との螺合が阻害されることはなく、前記戸当り本体１をねじ付台座２に容易に嵌め合わせることができる。また前記ねじ付台座２の中央部には、前記固定ねじ３を差し込むための貫通孔１３が切削されている。
【００１３】
本実施の形態における戸当りの床への組付けは、まず前記ねじ付台座２の針部１０を床に打ち込んだのち、固定ねじ３をねじ付台座２の貫通孔１３に挿通してねじ付台座２を床に固定する。この固定ねじ３によるねじ止めのときに前記針部１０によりねじ付台座２が防止されて、確実に固定することができる。ついで戸当り本体１の雌ねじ部４を前記ねじ付台座２の雄ねじ部９にねじ込んで行なわれる。このとき、前述したように、前記戸当り本体１とねじ付台座２のねじ嵌合が容易となり、組立て作業の効率化を図ることができる。
【００１４】
本発明は、本実施の形態のように床に取り付ける戸当りに限定されるものではない。たとえば戸に取り付ける戸当りとする場合には、図４に示されるように長尺の緩衝体の先端部に埋め込まれた磁石部２２を有する戸当り本体２１と、該本体２１の基部に螺着される鋳造品のねじ付台座２５とからなる戸当りを用いることができる。またこのねじ付台座２５についても、雄ねじ部における合せ面周辺のねじ部には平坦面２３がそれぞれ形成されているとともに、下端面には回り止めおよび仮止めのための針部２４が同時に鋳造されている。
【００１５】
かかる戸当りの戸Ａへの組付けは、まずねじ付台座２５の針部２４を戸Ａに打ち込んだのち、固定ねじ２６により固定する。ついで該ねじ付台座２５に戸当り本体２１をねじ込んで行われる。なお、この戸当りの組付けとともに、壁Ｂには、該戸当りの所定の高さの位置と同じ位置に、前記磁石部２２との吸着力により戸当りを開状態に保持させるための金属製座板２７が２本の固定ねじ２８により固定される。なお、磁石部を壁に取り付ける金属製座板に設け、緩衝体の先端部に金属板を埋め込むようにしてもよい。
【００１６】
前記実施の形態と同様に、前記戸当り本体２１とねじ付台座２４のねじ嵌合は容易であり、組立て作業の効率化を図ることができる。
【００１７】
なお、本発明における戸当りは、床または戸に取りつける場合に限定されるものではなく、壁Ｂに取り付けることもできる。
【００１８】
【発明の効果】
以上説明したとおり、本発明によれば、鋳造後の作業が不要であり、コストダウンを図ることができる。
【図面の簡単な説明】
【図１】本発明の戸当りの一実施の形態を示す分解図である。
【図２】図１におけるねじ付台座の正面図である。
【図３】図１におけるねじ付台座の平面図である。
【図４】本発明の他の実施の形態にかかわる戸当りを戸に取り付けた状態を示す説明図である。
【図５】従来の戸の固定状態を示す説明図である。
【図６】従来の戸当りを示す説明図である。
【図７】従来の戸当りの組立てを示す説明図である。
【符号の説明】
１    戸当り本体
２    ねじ付台座
３    固定ねじ
４    雌ねじ部
５    基部
６    緩衝体
７    外周突起部
８    磁石部
８ａ  磁性体
８ｂ  永久磁石
９    雄ねじ部
９ａ  ねじ部
１０    針部
１１    合せ面
１２    平坦面
１３    貫通孔
【図１】
0003980818.tif 000002
【図２】
0003980818.tif 000003
【図３】
0003980818.tif 000004
【図４】
0003980818.tif 000005
【図５】
0003980818.tif 000006
【図６】
0003980818.tif 000007
【図７】
0003980818.tif 000008